(57)【要約】【課題】装置へのディスクの装着をより容易で、自由度の高い方法で行うことができるディスク装置を提供することを目的とする。【解決手段】ターンテーブルのディスク載置面の待機位置と記録再生位置の間に固定して配置されたフロントカバーのディスク載置面にディスクを載置すれば、ターンテーブルの中心を通りターンテーブルのディスク載置面に直角に交わる第一の平面を中心に対称的にディスクに当接するように構成されたセンタリング手段により、自動的にディスクとターンテーブルのセンタリングが行われ、記録再生時は、フロントカバーの一部に設けられた開口部において光ピックアップとターンテーブルが待機位置から記録再生位置へ移動することで行う構成とする。【選択図】図１
2006079753.tif 000002
【特許請求の範囲】
【請求項１】
ケースに収納されたディスク、あるいは大径のディスク、小径のディスクが、記録／再生可能な装置であって、
前記ディスクを記録／再生する光ピックアップと、前記ディスクを載置し前記光ピックアップが記録再生可能な位置で回転せしめるターンテーブルとを載置し、記録再生位置と待機位置との間を移動するトラバースと、
前記ターンテーブルのディスク載置面の前記待機位置と前記記録再生位置との間に固定配置され、前記ディスクを載置するディスク載置面を有したフロントカバーと前記ディスクに当接し、前記ディスクの中心を前記ターンテーブルの中心へ移送するセンタリング手段とで構成され、
前記ディスクを記録再生状態にする際、前記トラバースを前記待機位置から前記記録再生位置へ移動できるように、前記フロントカバーの前記ディスク載置面の一部に開口部を有し、
前記センタリング手段は、前記ターンテーブルの中心を通り、前記ターンテーブルのディスク載置面に直角に交わる第一の平面を中心に対称的に前記ディスクに当接するように構成された一対もしくは、一対以上のセンタリング部材で構成されることを特徴としたディスク装置。
【発明の詳細な説明】
【技術分野】
【０００１】
本発明は、ＣＤやＤＶＤ等の記録用または再生用のディスク、あるいはディスクを収納したケースを装着し、記録または再生するためのディスク装置に関するものである。
【背景技術】
【０００２】
近年、ＤＶＤに記録再生可能なＤＶＤレコーダーが急速に普及し始めているが、今後の更なる普及拡大のために、ユニバーサルデザインなどの誰にでも使いやすい、より使いやすさを追求したディスク装置の開発が求められている。
従来のディスク装置では、ディスク装着方法として、装置から出てくるトレイ上にディスクを載置してトレイを装置内に引き込むことでディスクを装着するトレイ方式が一般である。
【０００３】
以下に従来のディスク装置について説明する。
【０００４】
従来、ディスク装置は特公平４−６７７１２号公報（特許第１９３２４７３号）に記載されたものが知られている。
【０００５】
従来のディスク装置は、ディスク使用機器の前面パネルにトレイ出し入れ用の開口部が設けられ、この開口部から出てきたトレイ上にディスクが載置された後、該ディスクがトレイごと装置内部の所定位置（ターンテーブルへの着脱位置）に引き込まれるように構成されている。そして、装置内部に引き込まれたトレイ上のディスクを、ターンテーブル上に装着し、クランパとの間に挟み込んだ状態で所定の回転数で回転させながら、例えば再生する場合にあっては、このディスク上に記録された情報信号を記録再生装置により再生する。すなわち、ディスク上の所定範囲に記録された信号のトラック位置に応じて、信号読み取りのためのピックアップを移動させることにより、情報信号の再生が行われるようになっている。
【特許文献１】特公平４−６７７１２号公報
【発明の開示】
【発明が解決しようとする課題】
【０００６】
しかしながら、上記の従来の構成では、ディスクを装置に装着するには、トレイを引き出し、トレイにディスクを載置後、再度トレイを装置内に戻すという一連の動作が必要であることや、ディスクをトレイに設けられたディスク載置用の凹部に位置決めして載置する必要があり、ディスク装着に手間が掛かり、ディスクの装着方法に自由度が少ないという問題点を有していた。
【０００７】
本発明は上記従来の問題点を解決するもので、ディスクの装着を容易で、自由度の高い方法で行えるディスク装置を提供することを目的とする。
【課題を解決するための手段】
【０００８】
この目的を達成するために本発明のディスク装置は、ケースに収納されたディスク、あるいは大径のディスク、小径のディスクが、記録／再生可能な装置であって、ディスクを記録／再生する光ピックアップと、ディスクを載置し光ピックアップが記録再生可能な位置で回転せしめるターンテーブルとを載置し、記録再生位置と待機位置との間を移動するトラバースと、ターンテーブルのディスク載置面の待機位置と記録再生位置との間に固定配置され、ディスクを載置するディスク載置面を有したフロントカバーとディスクに当接し、ディスクの中心をターンテーブルの中心へ移送するセンタリング手段とで構成され、ディスクを記録再生状態にする際、トラバースを待機位置から記録再生位置へ移動できるように、フロントカバーのディスク載置面の一部に開口部を有し、センタリング手段は、ターンテーブルの中心を通り、ターンテーブルのディスク載置面に直角に交わる第一の平面を中心に対称的にディスクに当接するように構成された一対もしくは、一対以上のセンタリング部材で構成されている。
【０００９】
この構成によって、ディスク装置へのディスクの装着を容易で、自由度の高い方法で行えるという優れた効果が得られる。
【発明の効果】
【００１０】
以上のように本発明は、ディスク装置へのディスクの装着を容易で、自由度の高い方法で行えるという優れた効果が得られる。
【発明を実施するための最良の形態】
【００１１】
本発明の請求項１に記載の発明は、ケースに収納されたディスク、あるいは大径のディスク、小径のディスクが、記録／再生可能な装置であって、ディスクを記録／再生する光ピックアップと、ディスクを載置し光ピックアップが記録再生可能な位置で回転せしめるターンテーブルとを載置し、記録再生位置と待機位置との間を移動するトラバースと、ターンテーブルのディスク載置面の待機位置と記録再生位置との間に固定配置され、ディスクを載置するディスク載置面を有したフロントカバーとディスクに当接し、ディスクの中心をターンテーブルの中心へ移送するセンタリング手段とで構成され、ディスクを記録再生状態にする際、トラバースを待機位置から記録再生位置へ移動できるように、フロントカバーのディスク載置面の一部に開口部を有し、センタリング手段は、ターンテーブルの中心を通り、ターンテーブルのディスク載置面に直角に交わる第一の平面を中心に対称的にディスクに当接するように構成された一対もしくは、一対以上のセンタリング部材を備えたことを特徴としたものであり、ディスクをフロントカバーのディスク載置面に載置すれば、センタリング手段により、自動的にディスク中心をターンテーブル中心にセンタリングできるため、ディスクを細かく位置決めして装着する必要はなく、自由度の高い容易な方法でディスクを装着できるという作用を有する。
【００１２】
以下、本発明の実施の形態について、図面を用いて説明する。
【００１３】
（実施の形態１）
図１は、本発明の実施の形態１におけるディスク装置のディスク装着状態の平面図である。ここでディスク装着状態とは、ユーザーが装置にディスクを装着する時の装置の状態のことである。図２はディスク装置のディスク装着状態の側面断面図で、図１におけるＺ−Ｚ部の断面である。図３はディスク装置のディスクのセンタリング完了状態の平面図、図４はディスク装置のディスクのセンタリング完了状態の側面断面図で、図３におけるＹ−Ｙ部の断面である。図５はディスク装置にディスクを収納したケース（以降カートリッジと呼ぶ）を装着した時の平面図、図６はディスク装置にカートリッジを装着した時の側面断面図で、図５におけるＸ−Ｘ部の断面である。
【００１４】
図１から図６において、１はディスク４を載置して記録または再生時にディスク４を回転させるターンテーブル、２はディスク４に信号を記録または再生する光ピックアップである。
【００１５】
３はディスク装置の前面を覆うフロントカバー、３ａはフロントカバー３に設けられたディスク載置面で、光ピックアップ２の光軸方向に対し直交方向に設ける。３ｂはディスク載置面３ａの一部に設けた開口部で、ディスク装着状態と記録再生状態との切換時に、ターンテープル１のディスク載置面が挿通移動できるように設けられている。
【００１６】
４は記録媒体であるディスクで、本実施の形態では大径ディスク（例えば１２センチディスク）を一例として説明しているが、小径ディスク（例えば８センチディスク）であっても、本装置に装着が可能である。なお、小径ディスクをセンタリングする際は、センタリング手段８のスライド量を、大径ディスクをセンタリングする際のセンタリング手段８のスライド量よりも多くすることで、センタリングが可能になる。
【００１７】
５はターンテーブル１と光ピックアップ２を搭載したトラバースベースで、支軸５ａを中心に待機位置と記録再生位置との間で回動できるように設けられている。待機位置とは、ターンテーブル１のディスク載置面及び光ピックアップ２はフロントカバー３のディスク載置面３ａより突出しない位置（つまり、ディスク載置面３ａより下部に位置した状態）である。記録再生位置とは、ターンテーブル１のディスク載置面がフロントカバー３のディスク載置面３ａより突出して、ディスク４を載置して記録再生可能な位置である。トラバースベース５の回動手段については図示しないが、例えば、モーターと歯車で構成される。
【００１８】
６は光ピックアップ２がディスク４の半径方向に移動する際にガイドとなるガイド軸、７は光ピックアップ２の移動のために用いる駆動モーターである。
【００１９】
８はディスク載置面３ａの外側で回動支点８ｃ及び８ｄを中心に矢印ＡまたはＤ方向へ回動可能に支持されたセンタリング手段であり、２本のレバー８ａ及び８ｂより構成されている。図１に示す位置がディスク４を載置可能な第１の位置で、図３に示す位置がディスク４をセンタリング位置へ移動した第２の位置であり、この第１の位置と第２の位置との間を矢印ＡまたはＤ方向へ回動自在となっている。ここで、センタリング位置とは、移送されるディスク４の中心が記録再生状態でのターンテーブル１の中心に合う位置である。レバー８ａ及び８ｂはターンテーブル１の中心を通り、ターンテーブル１のディスク載置面に直角に交わる平面を中心に互いに対向しかつ間隙を有して配置されている。また、レバー８ａ及び８ｂは第１及び第２の位置において、その先端が回動支点８ｃ及び８ｄよりも低くなるように配置されていることにより、ディスク４が第１の位置においても第２の位置においても、ディスク４の横方向の位置決めを行うことができる。ここで、ディスク４の横方向とは、光ピックアップ２の移動方向に対して直交方向のことである。また、レバー８ａ及び８ｂは、矢印Ａ方向またはＤ方向に回動する際は、タイミングはほぼ同時で、かつ回動角もほぼ同じである。
【００２０】
また、８ｅ及び８ｆは、レバー８ａ及び８ｂのディスク載置部に形成された屈曲部で、カートリッジを保持する際にカートリッジの角部を当接させることにより、カートリッジの横方向の位置決めを行うことができる。屈曲部８ｅ及び８ｆはカートリッジ９を載置時、カートリッジ９に収納されたディスク４の中心が記録再生状態のターンテーブル１の中心に合うような位置に設ける。
【００２１】
また、図示しないが、センタリング手段８は、例えば、スリップ構造で構成され、センタリング手段８に、カートリッジを載置された時は、カートリッジ９の自重がセンタリング手段８に作用し、センタリング手段８は回動支点８ｃ及び８ｄでスリップすることで回動しないように構成されている。また、図示しないが、例えば、スイッチ式のカートリッジ検出機構を装置に設け、センタリング手段８にカートリッジを載置された場合は、カートリッジが検出され、センタリング手段８は回動しない構成としてもよい。なお、センタリング手段８の回動手段については図示しないが、例えば、モーターと歯車とラックで構成される。
【００２２】
９はディスクを収納したカートリッジであり、本実施の形態ではＤＶＤ−ＲＡＭカートリッジを一例としているが、他のカートリッジであっても構わない。
【００２３】
１０はクランプ動作をするためのクランプベースで、ディスク装着状態において、フロントカバー３のディスク載置面３ａにディスク４を装着する際に、ディスク４がクランプベース１０に当接しないように、ディスク載置面３ａの光ピックアップ２の光軸方向への投影面に重ならない位置に待機している。本実施例では、クランプベース１０はディスク載置面３ａの右側の位置に待機している。なお、ディスク載置面３ａの左側の位置に待機していてもよい。またクランプベース１０は、光ピックアップ２の移動方向に対して直交方向に、かつターンテーブル１のディスク載置面に平行に、待機位置からクランプ位置まで移動できるように構成されている。クランプ位置とはクランプベース１０がターンテーブル１のディスク載置面の真上に移動してクランプ動作が可能な位置である。クランプベース１０の移動手段は、図示していないが、例えば、クランプベース１０にラックを設けて、モーターと歯車によって移動する。なお、クランプベース１０は、ディスク載置面３ａに載置されたディスク４に当接しないように構成する。
【００２４】
１１は、ターンテーブル１のディスク載置面にディスク４をクランプするクランパで、ターンテーブル１のディスク載置面の鉛直方向に移動できるようにクランプベース１０に備えられている。クランパ１１は、磁性体を内設しており、ターンテーブル１のディスク搭載面の被磁性体に磁力で着く構成になっている。
【００２５】
以上のように構成されたディスク装置について、図１から図６を用いてその動作を説明する。
【００２６】
まず、ディスク装着動作について、図１〜図４を用いて説明する。
【００２７】
使用者によってディスク４がセンタリング手段８上に載置されると、図１に示すようにディスク４はセンタリング手段８により横方向略中央に案内されるとともに、横方向の位置決めがされる。
【００２８】
記録再生開始のスイッチ（図示せず）がＯＮされると、クランプベース１０が図１に示す待機位置から矢印Ｂ方向（光ピックアップ２の移動方向に対して直交方向）へ移動し、図３に示すクランプ位置まで移動する。
【００２９】
次に、センタリング手段８のレバー８ａ及び８ｂが、ディスク４を載置した状態で、回動支軸８ｃ及び８ｄを中心にそれぞれ矢印Ａ方向へ回動し始める。それに伴ってディスク４はセンタリング手段８に外周部を支持されながら上方向へ移動する。
【００３０】
そして、センタリング手段８は図３に示すセンタリング完了位置でストッパー（図示せず）に当接して矢印Ａ方向への回動を停止する。ストッパーは、センタリング手段８によって移動されるディスク４の中心がターンテーブル１の中心に合うセンタリング位置で、センタリング手段８が停止するように設けられる。
【００３１】
その後、図２に示すようにトラバースベース５が支軸５ａを中心に矢印Ｃ方向へ回動し、ターンテーブル１が開口部３ｂを挿通して記録再生位置まで動き、ディスク４はターンテーブル１のディスク載置面に載って持ち上げられる。それに伴ってクランパ１１が、磁力によってターンテーブル１のディスク載置面に引き寄せられて、ディスク４はターンテーブル１とクランパ１１によってクランプされ、図４に示すような記録再生可能状態になる。
【００３２】
図３及び図４に示すようにトラバースベース５が記録再生位置に移動を完了すると、センタリング手段８は矢印Ｄ方向へ回動し、ターンテーブル１に載置されたディスク４の外周から離間する位置に退避する。本実施の形態では、センタリング手段８は図１に示す第１の位置へ移動するようにした。この時、ディスク４はターンテーブル１に保持されている。そして、ターンテーブル１が回転してディスク４を回転させ、ディスク４に対して情報を記録再生することができる。センタリング手段８は、ターンテーブル１に載置されたディスク４の外周から離間していれば、センタリング手段８の第１の位置と第２の位置との間のどの位置に退避しても良い。
【００３３】
なお、上記ディスク装着動作は、クランプベース移動、センタリング、トラバース移動（クランプ）という順序で行っているが、必ずしもこの順序にする必要はなく、ディスクをクランプ状態まで移行できるのであれば順序が変わってもよい。
【００３４】
次に装置からディスク４を取り出す場合について説明する。
【００３５】
ディスク４が記録再生位置にある状態からディスク取出し用のスイッチ（図示せず）がＯＮされると、ターンテーブル１の回転が停止し、ディスク４の回転が停止する。そして、センタリング手段８が第１の位置から、ディスク４外周を支持する第２の位置まで回動する。その後、トラバースベース５は、支軸５ａを中心に矢印Ｆ方向へ回動し、記録再生状態から図２に示す待機状態に移動する。それに伴って、ターンテーブル１とクランパ１１とで保持されていたディスク４は、ターンテーブル１のディスク載置面及びクランパ１１から離間する。その後、センタリング手段８はディスク４を載置した状態で矢印Ｄ方向（待機位置方向）に回動し、ディスク４は図１に示す位置へ移動する（この時、クランプベース１０はまだ図３の位置にある）。次に、クランプベース１０が図３に示すクランプ位置から矢印Ｅ方向へ移動し、図１に示す待機位置に移動する。これにより、ディスク４を取り出し可能になる。
【００３６】
なお、上記ディスク取り出し動作は、クランプ解除、センタリング解除、クランプベース待避という順序で行っているが、必ずしもこの順序にする必要はなく、ディスクをクランプ状態から取り出し可能状態へ移行できるのであれば順序が変わってもよい。
【００３７】
次に、カートリッジ９の装着動作について、図５及び図６を用いて説明する。
【００３８】
図５に示すように、使用者によってカートリッジ９が第１の位置にあるセンタリング手段８に載置されると、カートリッジ９ｃ及び９ｄが屈曲部８ｅ及び８ｆに当接し、カートリッジ９の横方向の位置決めを行うことができる。
【００３９】
次に、記録再生開始のスイッチ（図示せず）がＯＮされると、クランプベース１０が図５に示す待機位置から矢印Ｈ方向（光ピックアップ２の移動方向に対して直交方向）へ移動し、ターンテーブル１の中心とクランパ１１の中心とが略一致するクランプ位置まで移動する（図示せず）。
【００４０】
次に、センタリング手段８が矢印Ａ方向（ターンテーブル１の中心に向かう方向）へ回動しようとするが、カートリッジ９の角部９ｃ及び９ｄと屈曲部８ｅ及び８ｆとが当接しているため、センタリング手段８は矢印Ａ方向へは回動しない。なお、カートリッジ９はセンタリング手段８に載置されることで、既にセンタリング位置に位置している。
【００４１】
その後、カートリッジ９に設けられたシャッター９ｂがシャッター開閉機構（図示せず）によって開く。
【００４２】
次に、トラバースベース５が、図６に示すように支軸５ａを中心に矢印Ｊ方向へ回動し、ターンテーブル１が開口部３ｂを挿通して記録再生位置まで動き、ディスク４はターンテーブル１のディスク載置面に載って持ち上げられる。それに伴ってクランパ１１が、磁力によってターンテーブル１のディスク載置面に引き寄せられて、ディスク４はターンテーブル１とクランパ１１によってクランプされ、記録再生状態になる。そして、ターンテーブル１が回転してディスク４を回転させ、ディスク４に対して情報を記録再生することができる。
【００４３】
次に、装置からカートリッジ９を取り出す場合について説明する。
【００４４】
カートリッジ９内のディスク４が記録再生位置にある状態においてディスク取出し用のスイッチ（図示せず）がＯＮされると、ターンテーブル１の回転が停止し、ディスク４の回転が停止する。次に、トラバースベース５は、支軸５ａを中心に矢印Ｊの反対方向へ回動し、図６に示すような待機状態に移動する。それに伴って、ターンテーブル１とクランパ１１とで保持されていたディスク４は、ターンテーブル１のディスク載置面から外れる。次に、クランプベース１０がクランプ位置から矢印Ｈの反対方向へ移動し、図５に示す待機位置に移動し、カートリッジ９を取り出し可能な状態になる。この時、センタリング手段８は屈曲部８ｅ及び８ｆで、カートリッジ９を保持している。
【００４５】
以上のように本実施の形態１によれば、フロントカバー３の一部にターンテーブル１が挿通移動できるような開口部３ｂを設け、さらにフロントカバー３の一部にセンタリング手段８を設けることにより、ディスク４をセンタリング手段８上に載置すれば、ディスク４の中心がターンテーブル１の中心に合うように自動的に移送することができるようになり、ディスク４を細かく位置決めして装着する必要はなく、装着が容易にできる。
【００４６】
（実施の形態２）
図７は本発明の実施の形態２におけるディスク装置のディスク装着状態の平面図、図９はディスク装置のディスクのセンタリング完了状態の平面図、図８はディスク装置のディスク装着状態の側面断面図で、図７におけるＷ−Ｗ部の断面である。
【００４７】
図７から図９において、実施の形態１と同一構成要素には同一番号を付与し説明を省略する。図１から図６の構成と異なるのは、フロントカバー３のディスク載置面３ａが、扉３ｅ及び３ｆとして移動する点である。図７から図９において、扉３ｅ及び３ｆはそれぞれ左右一対で構成され、扉３ｅ及び３ｆはそれぞれ中央からディスク載置面３ａに平行に光ピックアップ２の移動方向に対して直交方向に開閉でき、図９に示すように開いた状態（記録再生状態）では、トラバースベース５が回動してターンテーブル１のディスク載置面から突出する構成になっている。扉３ｅ及び３ｆを開閉する駆動手段は図示しないが、例えばモーターと歯車とラックで構成できる。また、扉３ｅ及び３ｆは開いた時にフロントカバー３の裏側に移動して隠れる構成になっている。
【００４８】
以上のように構成された本実施の形態のディスク装置について、以下その動作を説明する。
【００４９】
まず、ディスク装着状態で、ディスク４がセンタリング手段８の上に置かれた場合について説明する。なお、ディスクを載置する前は、扉３ｅ及び３ｆは図７に示すように閉じた状態となっている。
【００５０】
使用者によってディスク４がセンタリング手段８上に載置されると、図７に示すようにディスク４はセンタリング手段８により横方向略中央に案内されるとともに、横方向の位置決めがされる。
【００５１】
次に、記録再生開始のスイッチ（図示せず）がＯＮされると、クランプベース１０が図７に示す待機位置から矢印Ｋ方向（光ピックアップ２の移動方向に対して直交方向）へ移動し、図９に示すクランプ位置まで移動する。
【００５２】
次に、センタリング手段８のレバー８ａ及び８ｂが、ディスク４を載置した状態で、回動支軸８ｃ及び８ｄを中心にそれぞれ矢印Ａ方向へ回動し始める。それに伴ってディスク４はセンタリング手段８に外周部を支持されながら矢印Ｎ方向へ移動する。そして、センタリング手段８は図９に示す第２の位置（センタリング完了位置）でストッパー（図示せず）に当接して移動を停止する。
【００５３】
その後、扉３ｅ及び３ｆがそれぞれ矢印Ｋ及びＬ方向へ移動して、図９に示すように開口部３ｇを構成する。そして、図８に示すようにトラバースベース５が支軸５ａを中心に矢印Ｍ方向へ回動し、開口部３ｇを介してターンテーブル１のディスク載置面が挿通し、ディスク４はターンテーブル１のディスク載置面に載って持ち上げられる。それに伴ってクランパ１１が、磁力によってターンテーブル１のディスク載置面に引き寄せられて、ディスク４はターンテーブル１とクランパ１１によってクランプされ、記録再生可能状態になる。
【００５４】
トラバースベース５が記録再生位置に移動を完了すると、センタリング手段８は、矢印Ｄ方向へ回動してターンテーブル１に載置されたディスク４の外周から離間する位置に退避する。本実施の形態では、センタリング手段８は図７の第一の位置まで退避する。この時、ディスク４はターンテーブル１に保持されたままである。その後、ターンテーブル１が回転してディスク４を回転させて、記録再生状態になる。
【００５５】
なお、上記ディスク装着動作は、クランプベース移動、センタリング、扉の開口動作、トラバース移動（クランプ）という順序で行っているが、必ずしもこの順序にする必要はなく、ディスクをクランプ状態まで移行できるのであれば順序が変わってもよい。
【００５６】
次に装置からディスク４を取り出す場合について説明する。
【００５７】
記録再生状態においてディスク取出し用のスイッチ（図示せず）がＯＮされると、ターンテーブル１の回転が停止し、センタリング手段８が第１の位置から、ディスク外周を支持する第２の位置（図９の位置）まで移動する。その後、トラバースベース５は、支軸５ａを中心に矢印Ｍの反対方向へ回動し、記録再生状態から図８に示す待機状態に移動する。それに伴ってディスク４はターンテーブル１のディスク載置面から外れる。
【００５８】
その後、扉３ｅ及び３ｆがそれぞれ矢印Ｌ及びＫ方向の反対方向へ移動して閉じ、図７に示すように開口部３ｇが無くなる。その後、センタリング手段８は第１の位置まで回動する。次に、クランプベース１０が図９に示すクランプ位置から矢印Ｑ方向へ移動し、図７に示す待機位置に移動する。これにより、ディスク４を取り出し可能な状態になる。
【００５９】
なお、上記ディスク取り出し動作は、クランプ解除、センタリング解除、扉の閉口動作、クランプベース待避という順序で行っているが、必ずしもこの順序にする必要はなく、ディスクをクランプ状態から取り出し可能状態へ移行できるのであれば順序が変わってもよい。
【００６０】
以上のように本実施の形態２によれば、フロントカバー３のディスク載置面が扉３ｅ及び３ｆとして開閉自在とすることで、ターンテーブル１のディスク載置面が貫通するための開口部３ｇを設けることができるため、待機位置において、トラバース部はフロントカバー３（扉３ｅ及び３ｆ）で覆われることで、トラバース部を保護することができ、また、外部からトラバース部を見えないようにでき、外観品格を向上できる。
【００６１】
また、本実施例では、センタリング手段８がセンタリング動作をした後に扉３ｅ及び３ｆを開く構成としているが、扉３ｅ及び３ｆが開いた後、センタリング手段８がセンタリング動作をしてもよい。
【００６２】
さらに、本実施例では、記録再生状態からディスク４を取り出す時に扉３ｅ及び３ｆが閉じた後に、センタリング手段８が待機位置に移動するとしているが、センタリング手段８を待機位置に移動した後、扉３ｅ及び３ｆを閉じてもよい。
【００６３】
なお、本実施例ではディスク４をターンテーブル１にクランプする手段として、クランプベース１０を用いて、クランプベース１０をディスク載置面に平行に移動させる手段を用いたが、クランプベース１０を別の方向から平行移動や回動させる等の別の手段を用いても良い。また、クランプベース１０を用いずに、ターンテーブル１だけでクランプさせる手段を用いても良い。
【００６４】
なお、本発明は上記した実施の形態に限定されるものではない。
【産業上の利用可能性】
【００６５】
本発明にかかるディスク装置は、ターンテーブルのディスク載置面の待機位置と記録再生位置との間に固定して配置されたフロントカバーのディスク載置面にディスクを載置することで、ターンテーブルの中心を通りターンテーブルのディスク載置面に直角に交わる第一の平面を中心に対称的にディスクに当接するように構成された一対もしくは、一対以上のセンタリング部材によってディスクが装置に装着される方式によって、ディスク装置へのディスクの装着を容易で自由度の高い方法で行うことが必要な用途にも適用できる。
【図面の簡単な説明】
【００６６】
【図１】本発明の実施の形態１におけるディスク装置のディスク装着状態の平面図
【図２】本発明の実施の形態１におけるディスク装置のディスク装着状態の側面断面図
【図３】本発明の実施の形態１におけるディスク装置のディスクのセンタリング完了状態の平面図
【図４】本発明の実施の形態１におけるディスク装置のディスクのセンタリング完了状態の側面断面図
【図５】本発明の実施の形態１におけるディスク装置にディスクを収納したケースを装着した時の平面図
【図６】本発明の実施の形態１におけるディスク装置にディスクを収納したケースを装着した時の側面断面図
【図７】本発明の実施の形態２におけるディスク装置のディスク装着状態の平面図
【図８】本発明の実施の形態２におけるディスク装置のディスク装着状態の側面断面図
【図９】本発明の実施の形態２におけるディスク装置のディスクのセンタリング完了状態の平面図
【符号の説明】
【００６７】
１    ターンテーブル
２    光ピックアップ
３    フロントカバー
３ａ    ディスク載置面
３ｂ    開口部
３ｅ    扉（右側）
３ｆ    扉（左側）
４    ディスク
５    トラバースベース
５ａ    支軸
６    ガイド軸
７    駆動モーター
８    センタリング手段
８ａ、８ｂ    レバー
８ｃ、８ｄ    回動支点
８ｅ、８ｆ    屈曲部
９    カートリッジ
９ｂ    シャッター
９ｃ、９ｄ    カートリッジの角部
１０    クランプベース
１１    クランパ
【図１】
2006079753.tif 000003
【図２】
2006079753.tif 000004
【図３】
2006079753.tif 000005
【図４】
2006079753.tif 000006
【図５】
2006079753.tif 000007
【図６】
2006079753.tif 000008
【図７】
2006079753.tif 000009
【図８】
2006079753.tif 000010
【図９】
2006079753.tif 000011